(57)【要約】【課題】ファイルの選択を容易にする情報処理装置を提供すること。【解決手段】外部の出力装置で出力する対象のファイルに関するファイル情報を表示する情報処理装置１０であって、ファイルに関する操作を受け付ける受付手段１３と、前記ファイルのファイル形式と前記ファイルの出力が可能な出力方法とを対応付けて記憶する出力情報記憶手段１９２と、前記受付手段が受け付けた操作によって指定された前記ファイルの出力方法で外部の出力装置において出力が可能であると前記出力情報記憶手段に登録されているファイル形式のファイルのファイル情報と、出力が可能であると前記出力情報記憶手段に登録されていないファイル形式のファイルのファイル情報とを異なる表示態様で表示するファイル表示手段１５と、を有する。【選択図】図１
2018026053.tif 000002
【特許請求の範囲】
【請求項１】
外部の出力装置で出力する対象のファイルに関するファイル情報を表示する情報処理装置であって、
ファイルに関する操作を受け付ける受付手段と、
ファイルのファイル形式と前記ファイルの出力が可能な出力方法とを対応付けて記憶する出力情報記憶手段と、
前記受付手段が受け付けた操作によって指定されたファイルの出力方法で外部の出力装置において出力が可能であると前記出力情報記憶手段に登録されているファイル形式のファイルのファイル情報と、出力が可能であると前記出力情報記憶手段に登録されていないファイル形式のファイルのファイル情報とを異なる表示態様で表示するファイル表示手段と、
を有する情報処理装置。
【請求項２】
前記ファイル表示手段は、前記出力方法で出力が可能であると前記出力情報記憶手段に登録されているファイル形式のファイルのファイル情報を、前記出力方法で出力が可能であると前記出力情報記憶手段に登録されていないファイル形式のファイルのファイル情報よりも強調して表示する請求項１に記載の情報処理装置。
【請求項３】
前記受付手段はファイルの出力方法の切り替えを受け付け、
前記受付手段が受け付けた前記出力方法で出力が可能であると前記出力情報記憶手段に登録されているファイル形式のファイルを前記ファイル表示手段が表示した場合、出力の対象となる１つ以上のファイルの選択を受け付け、
前記受付手段が受け付けた前記出力方法で出力が可能であると前記出力情報記憶手段に登録されていないファイル形式のファイルを前記ファイル表示手段が表示した場合、ファイルの選択を受け付けず、
前記ファイル表示手段は、前記受付手段が受け付けた前記ファイルのファイル情報に選択された旨の情報を表示する請求項１又は２に記載の情報処理装置。
【請求項４】
前記選択された旨の情報が表示された後、前記受付手段が前記ファイルの前記出力方法の切り替えを受け付けた場合、
前記ファイル表示手段は、前記選択された旨の情報を表示した状態で、切り替え後の出力方法で出力が可能であると前記出力情報記憶手段に登録されているファイル形式のファイルのファイル情報と、出力が可能であると登録されていないファイル形式のファイルのファイル情報とを異なる表示態様で表示する請求項３に記載の情報処理装置。
【請求項５】
前記選択された旨の情報が表示された後、前記受付手段が前記ファイルの前記出力方法の切り替えを受け付け、更に、前記受付手段が前記ファイルの前記出力方法の切り替えを受け付けた場合、
前記ファイル表示手段は、ファイルの選択が行われた際に表示した前記選択された旨の情報を表示したままにする請求項４に記載の情報処理装置。
【請求項６】
前記ファイル表示手段は、前記受付手段が受け付けた前記ファイルの出力方法に関係なく、出力の対象となりうる全てのファイルのファイル情報を表示する請求項３〜５のいずれか１項に記載の情報処理装置。
【請求項７】
外部の出力装置としてファイルを異なる印刷方法で印刷する画像形成装置と通信する通信手段を有し、
前記受付手段は、前記出力方法としてファイルの印刷方法の選択を受け付け、
前記ファイル表示手段は、選択された印刷方法で印刷が可能であると前記出力情報記憶手段に登録されているファイル形式のファイルのファイル情報と、印刷が可能であると前記出力情報記憶手段に登録されていないファイル形式のファイルのファイル情報とを異なる表示態様で表示する請求項１〜６のいずれか１項に記載の情報処理装置。
【請求項８】
外部の出力装置で出力する対象のファイルに関するファイル情報を表示する情報処理装置を
ファイルに関する操作を受け付ける受付手段と、
前記ファイルのファイル形式と前記ファイルの出力が可能な出力方法とを対応付けて記憶する出力情報記憶手段と、
前記受付手段が受け付けた操作によって指定された前記ファイルの出力方法で外部の出力装置において出力が可能であると前記出力情報記憶手段に登録されているファイル形式のファイルのファイル情報と、出力が可能であると前記出力情報記憶手段に登録されていないファイル形式のファイルのファイル情報とを異なる表示態様で表示するファイル表示手段、として機能させるプログラムと、
前記情報処理装置から取得したファイルを出力する装置と、を有するシステム。
【請求項９】
外部の出力装置で出力する対象のファイルに関するファイル情報を表示する情報処理装置にインストールされると、
前記情報処理装置を、
ファイルに関する操作を受け付ける受付手段と、
前記ファイルのファイル形式と前記ファイルの出力が可能な出力方法とを対応付けて記憶する出力情報記憶手段と、
前記受付手段が受け付けた操作によって指定された前記ファイルの出力方法で外部の出力装置において出力が可能であると前記出力情報記憶手段に登録されているファイル形式のファイルのファイル情報と、出力が可能であると前記出力情報記憶手段に登録されていないファイル形式のファイルのファイル情報とを異なる表示態様で表示するファイル表示手段、として機能させるためのプログラム。
【発明の詳細な説明】
【技術分野】
【０００１】
本発明は、情報処理装置、システム及びプログラムに関する。
【背景技術】
【０００２】
コンビニエンスストアなどの店舗に設置されている複合機等の画像処理装置で、ユーザが持っている書類をコピーしたり、クラウドなどに予め登録してある文書データをプルプリントしたりするサービスが提供されている。また、携帯端末などに記憶されている文書データをユーザが店舗の複合機で印刷するサービスも提供され始めている。
【０００３】
また、複合機はスキャナの機能を有しているため、店舗側はスキャナを用いたサービスを提供することも可能である（例えば、特許文献１参照。）。特許文献１には、写真や書類などの紙媒体をユーザが複合機を用いてスキャンすることにより電子データ化し、携帯端末が無線で受信する技術について開示されている。
【０００４】
このように複合機のスキャナ機能を利用することで、ユーザは携帯端末で写真や書類を電子データとして携帯できる。したがって、ユーザは紙媒体の資料を持ち運ぶ必要がなくなる。また、電子データ化した写真ファイルや文書ファイルは同じく複合機で再び紙媒体に印刷することが可能である。この際に、例えば複合機等のファイルを出力する装置において写真として印刷するのに適したファイル形式や文書として印刷するのに適したファイル形式など、出力方法に対してその出力方法で出力可能なファイル形式が予め決められている場合がある。
【発明の概要】
【発明が解決しようとする課題】
【０００５】
しかしながら、携帯端末に多くのファイルが格納されるようになると、ユーザが外部の出力する装置において出力させたい所望のファイル携帯端末で探して選択する際に、外部の出力する装置の異なる出力方法の中からユーザが所望する出力方法で出力可能なファイル形式まで考慮して探すことが困難になるという問題がある。携帯端末には、携帯端末で撮影した画像データ、ＷｅｂサイトからダウンロードしたＰＤＦデータ、メールに添付され送信されてきた文書データ、及び、音楽データなど、多数のデータが保存可能である。複合機で電子データ化されたファイルもこの中の１つとなる。このため、複合機等の外部の装置で電子データ化されたファイルを含め、ユーザが例えば印刷等の方法で出力したいファイルを携帯端末で選択することが困難になる。
【０００６】
本発明は、上記課題に鑑み、ファイルの選択を容易にする情報処理装置について説明する。
【課題を解決するための手段】
【０００７】
本発明は、外部の出力装置で出力する対象のファイルに関するファイル情報を表示する情報処理装置であって、ファイルに関する操作を受け付ける受付手段と、前記ファイルのファイル形式と前記ファイルの出力が可能な出力方法とを対応付けて記憶する出力情報記憶手段と、前記受付手段が受け付けた操作によって指定された前記ファイルの出力方法で外部の出力装置において出力が可能であると前記出力情報記憶手段に登録されているファイル形式のファイルのファイル情報と、出力が可能であると前記出力情報記憶手段に登録されていないファイル形式のファイルのファイル情報とを異なる表示態様で表示するファイル表示手段と、を有する。
【発明の効果】
【０００８】
ファイルの選択を容易にする情報処理装置を提供することができる。
【図面の簡単な説明】
【０００９】
【図１】本実施形態の画像処理システムの概略的な動作を説明する図の一例である。
【図２】本実施形態の画像処理システムの使用形態を説明する図の一例である。
【図３】画像処理システムの一例の構成図である。
【図４】携帯端末の一例のハードウェア構成図である。
【図５】複合機の一例のハードウェア構成図である。
【図６】写真印刷装置の一例のハードウェア構成図である。
【図７】画像処理システムの一例の機能ブロック図である。
【図８】ファイル記憶部の構成を模式的に説明する図の一例である。
【図９】画像処理システムの動作手順を説明するシーケンス図の一例である。
【図１０】サービス選択画面、読取条件設定画面の一例を示す図である。
【図１１】読み取りスタート画面、プレビュー画面の一例を示す図である。
【図１２】ＰＩＮコード入力画面、料金画面の一例を示す図である。
【図１３】終了画面の一例を示す図である。
【図１４】アプリ起動画面、Wi-Fiプリント画面、スキャン取り込み画面、ＰＩＮコード画面、スキャンフォルダ画面の一例を示す図である。
【図１５】画像処理システムの動作手順を説明するシーケンス図の一例である。
【図１６】写真印刷設定画面、画像選択画面の一例を示す図である。
【図１７】プリントスタート画面、印刷中画面の一例を示す図である。
【図１８】終了画面の一例を示す図である。
【図１９】アプリ起動画面、Wi-Fiプリント画面、スキャンフォルダ画面、プリント画面、送信画面、送信完了画面の一例を示す図である。
【図２０】スキャンフォルダに格納されているファイルを模式的に示す図である。
【図２１】プリント画面におけるファイル情報の表示態様を説明する図の一例である。
【図２２】ファイル表示部がプリント画面の表示を行う手順を示すフローチャート図の一例である。
【図２３】クラウドプリントにおいて、画像処理システムの動作手順を説明するシーケンス図の一例である。
【図２４】アプリ起動画面、認証画面、クラウドプリント画面の一例を示す図である。
【発明を実施するための形態】
【００１０】
以下、本発明を実施するための形態について図面を参照しながら説明する。
図１は、本実施形態の画像処理システム１００の概略的な動作を説明する図の一例である。
（１）携帯端末１０を携帯するユーザＵは例えばコンビニエンスストアなどに赴き、電子データ化したい原稿９を複合機３０にセットする。携帯端末１０と複合機３０は有線又は無線で接続され、通信が可能な状態となる。
（２）複合機３０は原稿９を電子データ化したファイルを携帯端末１０に送信する。
（３）ファイルは携帯端末１０の所定のフォルダに格納される。ユーザＵは印刷の際に、印刷したいファイルを選択することができる。複合機３０はいわゆる普通紙にプリントする普通紙プリントと、写真品質で印刷する写真プリントに対応している。しかし、複合機３０が普通紙プリントで印刷可能なファイル形式と写真プリントで印刷可能なファイル形式とは異なっている。このような前提において、携帯端末１０は以下のようなファイルの表示方法を提供する。
Ａ．普通紙プリントと写真プリントの両方でプリントフォルダ内のファイルを全て表示する。
Ｂ．普通紙プリントが選択された場合、複合機３０が普通紙で印刷できないファイル形式のファイル名等をグレーアウト表示する。写真プリントが選択された場合、複合機３０が写真として印刷できないファイル形式のファイル名等をグレーアウト表示する。グレーアウト表示とは、入力や選択の対象が操作又は選択できない状態で表示することをいう。入力や選択の対象としては存在するが現在の状態では選択できないことを表示色や輝度によりユーザに報知する表示態様である。
Ｃ．ユーザＵが普通紙プリントと写真プリントのどちらに切り替えても、切り替える前のユーザＵのファイルの選択結果が保持される。
【００１１】
具体的には、フォルダに３つのファイルFileA.jpg、FileB.jpg、FileC.pngが格納されているものとする。また、複合機３０はＰＮＧファイルを普通紙に印刷できないものとする。図１（ｂ）は写真プリントが選択された状態を示す。図１（ｂ）ではFileA.jpgとFileC.pngが選択されたため、選択状態を示すチェックマーク５０１が表示されている。
【００１２】
次に、ユーザＵが普通紙プリントを選択したものとする。図１（ｃ）は普通紙プリントが選択された状態を示す。複合機３０は普通紙プリントでＰＮＧファイルに対応していないので、携帯端末１０はファイル名であるFileC.png、チェックマーク５０１及びタイムスタンプ（作成日時、更新日時等）をグレーアウト表示する。グレーアウト表示により、ユーザＵはFileC.pngを普通紙プリントできないことを把握できる。また、写真プリントで選択されたFileC.pngの選択状態が、普通紙プリントでも維持されている。
【００１３】
このような表示方法によれば、ユーザＵは常に（普通紙プリントと写真プリントのどちらを選択しても）フォルダ内のファイルを把握できる。また、ファイル名等が表示されてもグレーアウト表示されているファイルは印刷できないことを把握できる（仮にユーザＵが選択しても選択状態にならない）。また、選択状態が保持されるので、普通紙プリントから写真プリント又は写真プリントから普通紙プリントに切り替えても、ファイルを選択し直す必要がない。
【００１４】
＜用語について＞
ファイルとは、情報処理装置におけるデータの管理単位の１つで、記憶装置などにデータを記録する際に記録単位となるひとまとまりのデータをいう。
【００１５】
ファイル形式とは、ファイルにデータを記録するための保存形式である。情報処理装置が扱う文書、音声、画像、動画などに適したファイル形式が定められている。また。文書、音声、画像、動画のそれぞれで更にファイル形式は細分化されている。例えば、文書では、ＰＤＦファイル、テキストファイル、Ｗｏｒｄファイル（登録商標）が知られている。ファイル形式はファイルの拡張子で判別される場合が多い。
【００１６】
出力とは、ファイルに対する情報処理装置の処理結果を後段に渡すことをいう。例えば、ファイルに格納したり、ディスプレイに送信して表示させたり、プリンタに送信して印刷させたりすることをいう。
【００１７】
出力方法とは、ファイルの処理内容である。例えば、ファイルの印刷方法（プリント印刷、写真プリント）などである。また、ファイル自体の処理として翻訳、ＯＣＲ処理、検索処理などがある。また、出力方法はファイルの出力先の機器によって決定されてもよい。機器によって例えば表示又は印刷できるファイル形式が異なる場合に有効である。
【００１８】
＜使用形態の概略＞
図２を用いて本実施形態の画像処理システム１００の使用形態を説明する。図２は、本実施形態の画像処理システム１００の使用形態を説明する図の一例である。複合機３０は写真印刷装置５０と通信可能に接続されており、写真印刷装置５０はアクセスポイント４５を有している。アクセスポイント４５は写真印刷装置５０の外部にあってもよい。複合機３０は普通紙に印刷する機能（プリンタ機能）と原稿を読み取る機能（スキャナ機能）と有する装置であり、写真印刷装置５０は印画紙（感光材料を塗布した用紙）に印刷する印刷装置である。
【００１９】
写真印刷装置５０は、ディスプレイ４６を有しており、ユーザＵとのユーザインタフェースを提供する。また、写真印刷装置５０は写真取り出し口４１、メディアスロット４７、硬貨投入口４８、タッチエリア４２、レシート出力口４３、及び、釣り銭取り出し口４４を有する。
【００２０】
また、写真印刷装置５０は複合機３０のプリンタドライバを有している。これは、携帯端末１０がプリンタドライバを有していない場合にも、写真印刷装置５０がプリンタドライバを実行し印刷設定を受け付け、複合機３０に適した形式のラスタライズを行うためである。
【００２１】
複合機３０は、画像形成装置やプリンタなどと呼ばれる機器であるが、本実施形態ではプリンタ機能とスキャナ機能を有するものとして説明する。プリンタ機能とスキャナ機能は別々の装置が提供してもよい。また、複合機３０は、ＭＦＰ（Multi- Function Peripheral）、複写機、コピー機などと呼ばれていてもよい。
【００２２】
ユーザＵは携帯端末１０を写真印刷装置５０のタッチエリア４２に接近させる。これにより、携帯端末１０は、写真印刷装置５０の無線通信装置３０９と通信し、アクセスポイント４５を介して複合機３０と通信するための通信情報を無線通信装置３０９から取得する。無線通信装置３０９はＩＣタグやBluetooth（登録商標）に対応した通信装置である。したがって、携帯端末１０は写真印刷装置５０とアクセスポイント４５を介して通信可能になる。
【００２３】
携帯端末１０は情報処理装置としての機能を有し、印刷可能なファイルを記憶している。あるいは、携帯端末１０はクラウド上の文書サーバに蓄積されているファイルを複合機３０に印刷させる機能を有している（文書サーバに蓄積されているファイルをダウンロードする機能も有している）。携帯端末１０は、具体的には、スマートフォン、携帯電話、タブレット端末、ゲーム機、ＰＤＡ（Personal Digital Assistant）、デジタルカメラ、ウェアラブルＰＣ（Personal Computer）、ノートＰＣなどである。
【００２４】
ユーザＵはスキャナ機能やプリンタ機能を利用するために必要なお金を写真印刷装置５０に投入しておく。まず、スキャナ機能を利用する場合、ユーザＵはディスプレイ４６のタッチパネルを介してスキャナによる読取条件を設定する。原稿９のスキャンが行われると電子化されたファイルが複合機３０から写真印刷装置５０に送信される。所定の手順で携帯端末１０と写真印刷装置５０とが通信接続すると、写真印刷装置５０が携帯端末１０にファイルを送信する。また、プリンタ機能を利用する場合、ユーザＵは携帯端末１０のファイルを選択して、写真印刷装置５０との通信接続を行い、写真印刷装置５０にファイルを送信する。ユーザＵはディスプレイ４６のタッチパネルを介して、写真印刷装置５０又は複合機３０による印刷の印刷設定を入力する。プレビューなどを確認すると、写真プリントの場合は写真印刷装置５０が印刷し、普通紙プリントの場合は複合機３０に送信して複合機３０がファイルを印刷する。
【００２５】
なお、写真印刷装置５０と複合機３０は別々の装置でなくてもよく、一つの装置として動作してもよい。図示するように別々の装置として構成されているのは、既存の複合機３０の転用が可能であるためである。
【００２６】
＜システム構成＞
図３は、本実施例に係る画像処理システム１００の一例の構成図である。画像処理システム１００は、携帯端末１０と、複合機３０と、写真印刷装置５０とを有する。携帯端末１０と写真印刷装置５０とは有線又は無線のネットワークＮを介して通信可能なように構成されている。通信可能であるとは、通信する機能を備えることをいう。
【００２７】
また、写真印刷装置５０や複合機３０による印刷は使用条件を満たしたユーザＵに提供されうるサービスであり、常に、携帯端末１０が写真印刷装置５０と通信しているとは限らない。なお、使用条件とは、料金の投入であったり、通信する機能を有していることなどである。このため、携帯端末１０はネットワークＮに接続しておらず、オンデマンドでネットワークＮに接続する。ネットワークＮとしては、大きく有線と無線とに分けられる。有線の場合、ユーザＵが保持するケーブルの一端を携帯端末１０に接続し、他端を写真印刷装置５０に接続する。ケーブルはどのようなものでもよいが例えばマイクロＵＳＢなどが知られている。
【００２８】
また、無線の場合、アクセスポイント４５を利用するインフラストラクチャモードによる無線ＬＡＮがある。また、アクセスポイントを使用しないＷｉ−Ｆｉ  Ｄｉｒｅｃｔやアドホックモードによる無線ＬＡＮがある（いずれもＰ２Ｐ通信になる）。ただし、ネットワークＮはこれらに限られない。例えば、ネットワークＮはＷＡＮやインターネットを含んでいてもよいし、一部に携帯電話網を含んでいてもよい。また、赤外線通信、Ｂｌｕｅｔｏｏｔｈ（登録商標）などを利用したネットワークでもよい。
【００２９】
写真印刷装置５０は無線通信装置３０９を内蔵している。携帯端末１０と無線通信装置３０９は近距離無線通信を介して通信可能なように構成されている。無線通信装置３０９は例えばＮＦＣ(Near Field Communication)に対応したＩＣタグ、Bluetooth（登録商標）などである。また、ＱＲコード（登録商標）などが外部から読み取れるように貼付されていてもよい。
【００３０】
携帯端末１０には、写真印刷装置５０に機能の提供（例えば印刷対象データに印刷指示を行う、原稿９をスキャンさせる、ＦＡＸ送信させる、コピーさせるなど）を要求することができるアプリケーションソフトウェア（以下、単にアプリという）がインストールされている。ユーザＵは写真印刷装置５０を操作して、印刷指示に係る印刷対象データを含む印刷ジョブ、スキャンジョブ、ＦＡＸ送信ジョブ、及び、コピージョブなどを生成させる。写真印刷装置５０はこれらのジョブを複合機３０に送信する。
【００３１】
また、携帯端末１０は、後述するように近距離無線通信装置を備えている。ユーザＵは、携帯端末１０を写真印刷装置５０のタッチエリア４２にかざすことにより無線通信装置３０９と通信し、写真印刷装置５０と通信を行うためのＩＰアドレスなどを含む通信情報を取得する。そして、携帯端末１０は、取得した通信情報を使用して写真印刷装置５０と通信することで、スキャンジョブを実行させたり印刷ジョブを実行させたりする。
【００３２】
なお、アプリは複合機３０と通信して写真印刷装置５０にジョブの実行を要求するブラウザ、文書作成ソフト、ビューワなどのソフトウェアでもよい。
【００３３】
写真印刷装置５０はユーザＵから設定を受け付ける機能、携帯端末１０と通信する機能、ジョブを写真印刷装置５０と複合機３０で振り分ける機能、課金する機能等を有する。写真印刷装置５０は印画紙に印刷する機能を有する。すなわち、レーザ光で印画紙を感光させ、現像液で化学変化により色素を発色定着させることで高画質な写真プリントを行う。ただし、インクジェット方式で光沢紙に印刷してもよい。
【００３４】
写真印刷装置５０と複合機３０は有線又は無線で通信する。写真印刷装置５０は印刷対象データを含む印刷ジョブを複合機３０に送信したり、複合機３０からスキャンジョブで作成された画像データを受信する。写真印刷装置５０と複合機３０はＵＳＢケーブルやＬＡＮケーブルなどで接続されてもよいし、アクセスポイントを介して無線で通信してもよい。
【００３５】
複合機３０は、電子写真方式で画像データを印刷する。あるいはインクジェット方式で印刷してもよい。また、複合機３０はスキャナ機能を有している。また、複合機３０はプリンタ機能とスキャナ機能を有する装置に限られず、複数の出力方法でファイルを出力する外部の出力装置であればよい。例えば、ファクシミリ装置、プロジェクタ、ＨＵＤ（Head Up Display）装置、電子黒板、デジタルサイネージなどもファイルを出力する出力装置に含まれる。ファクシミリ装置の場合、携帯端末１０は例えば選択可能なファイルをファイル形式で切り替える。また、プロジェクタ、ＨＵＤ、電子黒板及びデジタルサイネージの場合、携帯端末１０は出力可能（選択可能）なファイルをファイル形式で切り替える。なお、外部の出力装置は出力方法が異なる２つ以上の出力装置が通信可能に構成されていてもよい。
【００３６】
また、必ずしも複合機３０は出力する機能を有していなくてもよい。あるいは、携帯端末１０と複合機３０が通信しなくてもよい。例えば、携帯端末１０が異なる複数の処理を実行するものであり、ファイル形式によって可能な処理が異なるような場合、本実施形態のファイルの表示方法を適用できる。例えば、翻訳処理、ＯＣＲ処理、検索処理をファイルに施すためユーザがファイルを選択する場合を考える。ＯＣＲ処理は文書を含む画像データに対して適用可能であり、検索処理は透明テキストを有するＰＤＦファイルや文書ファイルに対し適用可能であり、翻訳処理は文書ファイルに対し適用可能である。
【００３７】
＜ハードウェア構成＞
≪携帯端末１０≫
本実施例に係る携帯端末１０は、例えば図４に示すようなハードウェア構成により実現される。図４は、本実施例に係る携帯端末１０の一例のハードウェア構成図である。図４に示す携帯端末１０は、入力装置１０１、表示装置１０２、外部Ｉ／Ｆ１０３、ＲＡＭ（Random Access Memory）１０４、ＲＯＭ（Read Only Memory）１０５、ＣＰＵ（Central Processing Unit）１０６、通信Ｉ／Ｆ１０７、ＳＳＤ（Solid State Drive）１０８、及び近距離無線通信装置１０９などを備え、それぞれがバスＢで相互に接続されている。
【００３８】
入力装置１０１は、例えば、タッチパネルであり、携帯端末１０に各操作信号を入力するのに用いられる。なお、入力装置１０１は、キーボードやマウスなどであってもよい。表示装置１０２は、例えば、ＬＣＤ（Liquid Crystal Display）などであり、携帯端末１０による処理結果を表示する。
【００３９】
外部Ｉ／Ｆ１０３は、外部装置とのインタフェースである。外部装置には、記録媒体１０３ａなどがある。また、外部Ｉ／Ｆ１０３には写真印刷装置５０と接続するための有線のケーブルが接続される。記録媒体１０３ａには、本実施形態の表示方法を実現するプログラムが格納され得る。携帯端末１０は外部Ｉ／Ｆ１０３を介して、記録媒体１０３ａの読み取り及び／又は書き込みを行うことができる。
【００４０】
記録媒体１０３ａは、例えば、ＳＤメモリカード（SD Memory card）などの記録媒体である。記録媒体１０３ａは、ＵＳＢメモリ（Universal Serial Bus memory）、ＤＶＤ（Digital Versatile Disk）、ＣＤ（Compact Disk）、フレキシブルディスクなどの記録媒体であってもよい。
【００４１】
ＲＡＭ１０４は、プログラムやデータを一時保持する揮発性の半導体メモリ（記憶装置）である。ＲＯＭ１０５は、電源を切ってもプログラムやデータを保持することができる不揮発性の半導体メモリ（記憶装置）である。ＲＯＭ１０５には、携帯端末１０の起動時に実行されるＢＩＯＳ（Basic Input/Output System）、ＯＳ設定、及びネットワーク設定などのプログラムやデータが格納されている。
【００４２】
ＣＰＵ１０６は、ＲＯＭ１０５やＳＳＤ１０８などの記憶装置からプログラムやデータをＲＡＭ１０４上に読み出し、処理を実行することで、携帯端末１０全体の制御や機能を実現する演算装置である。
【００４３】
通信Ｉ／Ｆ１０７は、ネットワークＮを介した通信を行うためのインタフェースである。例えば、通信Ｉ／Ｆ１０７は、携帯端末１０をネットワークＮを介して写真印刷装置５０に接続するためのインタフェースである。また、通信Ｉ／Ｆ１０７は、携帯電話網やインターネット等に接続するためのインタフェースであってもよい。具体的には、無線ＬＡＮの通信装置、携帯電話網を介した通信装置などである。
【００４４】
ＳＳＤ１０８は、プログラム１０８ａやデータを格納している不揮発性の記憶装置である。格納されるプログラム１０８ａやデータには、例えば携帯端末１０全体を制御する基本ソフトウェアであるＯＳ（Operating System）や、ＯＳ上において各種機能を提供するアプリなどがある。ＳＳＤ１０８は格納しているプログラムやデータを所定のファイルシステム及び／又はＤＢ（データベース）により管理している。なお、携帯端末１０は、ＳＳＤ１０８の代わりに又はＳＳＤ１０８と併せて、ＨＤＤ（Hard Disk Drive）等を備えていてもよい。
【００４５】
近距離無線通信装置１０９は、例えば、ＮＦＣの通信規格にしたがった通信装置である。例えば、リーダ・ライタなどと呼ばれる場合がある。また、Bluetooth（登録商標）などの通信装置でもよい。これにより、携帯端末１０は、近距離無線通信装置１０９を介して写真印刷装置５０の無線通信装置３０９とデータ通信を行うことができる。
【００４６】
本実施例に係る携帯端末１０は、上記したハードウェア構成により後述するような各種処理を実現できる。
【００４７】
<<複合機３０>>
本実施例に係る複合機３０は、例えば図５に示すようなハードウェア構成により実現される。図５は、本実施例に係る複合機の一例のハードウェア構成図である。図５に示す複合機３０は、コントローラ２０１、操作パネル２０２、外部Ｉ／Ｆ２０３、通信Ｉ／Ｆ２０４、プリンタ２０５及びスキャナ２０６などを有している。
【００４８】
コントローラ２０１はＣＰＵ２１１、ＲＡＭ２１２、ＲＯＭ２１３と、ＮＶＲＡＭ２１４、ＨＤＤ２１５を有する。ＲＯＭ２１３は、各種プログラムやデータが格納されている。ＲＡＭ２１２はプログラムやデータを一時保持する。ＮＶＲＡＭ２１４は、例えば設定情報等が格納されている。また、ＨＤＤ２１５は各種のプログラム２１５ａやデータが格納されている。
【００４９】
ＣＰＵ２１１は、ＲＯＭ２１３やＮＶＲＡＭ２１４、ＨＤＤ２１５などからプログラム２１５ａやデータ、設定情報等をＲＡＭ２１２上に読み出し、処理を実行することで、複合機３０全体の制御や機能を実現する。
【００５０】
操作パネル２０２はユーザＵからの入力を受け付ける入力部と、表示を行う表示部とを備えている。本実施形態では複合機３０の操作パネル２０２は使用されないが、操作パネル２０２で読取条件や印刷設定を受け付けてもよい。
【００５１】
外部Ｉ／Ｆ２０３は外部装置とのインタフェースである。外部装置には、記録媒体２０３ａや写真印刷装置５０等がある。これにより、複合機３０は外部Ｉ／Ｆ２０３を介して写真印刷装置５０と通信できる。なお、記録媒体２０３ａには、フレキシブルディスク、ＣＤ、ＤＶＤ、ＳＤメモリカード、ＵＳＢメモリなどがある。
【００５２】
通信Ｉ／Ｆ２０４は、ネットワークＮを介した通信を行うためのインタフェースである。本実施形態では、複合機３０はネットワークＮに接続しなくてよい
プリンタ２０５は、印刷対象データを印刷して出力するための印刷装置である。スキャナ２０６は原稿９を光学的に読み取って電子データに変換する読み取り装置である。
【００５３】
本実施例に係る複合機３０は、上記したハードウェア構成により後述するような各種処理を実現できる。
【００５４】
<<写真印刷装置５０のハードウェア構成>>
図６は、写真印刷装置５０のハードウェア構成図の一例を示す。写真印刷装置５０は、一般的なＰＣやサーバ等の情報処理装置と同様の構成に加え、写真印刷装置５０に特有の構成を有する。
【００５５】
写真印刷装置５０は、ＣＰＵ３０１、ＲＡＭ３０２、ＲＯＭ３０３、ディスプレイ４６、タッチパネル３０５、ネットワークＩ／Ｆ３０６、ＨＤＤ３０７、外部Ｉ／Ｆ３０８、無線通信装置３０９及びＩ／Ｆ３１０がバスを介して接続されている。また、Ｉ／Ｆ３１０にはメディアＩ／Ｆ３１１、写真搬送部３１２、写真印刷ユニット３１３、レシート印刷装置３１４及び課金装置３１５が接続されている。
【００５６】
ＣＰＵ３０１は演算手段であり、ＨＤＤ３０７からＲＡＭ３０２に展開されたプログラム３０７ｐを実行し図６に示された各機能を制御することで写真印刷装置全体の動作を制御する。ＲＡＭ３０２は、情報の高速な読み書きが可能な揮発性の記憶媒体であり、ＣＰＵ３０１が情報を処理する際の作業領域として用いられる。
【００５７】
ＲＯＭ３０３は、読み出し専用の不揮発性記憶媒体であり、ファームウェア等のプログラムやＢＩＯＳ設定など格納されている。ＨＤＤは、情報の読み書きが可能な不揮発性の記憶媒体であり、ＯＳや写真印刷装置用のプログラム等が格納されている。
【００５８】
外部Ｉ／Ｆ３０８は、外部装置や記憶媒体が接続されるインタフェースであり、例えばＵＳＢケーブルなどが接続される。本実施形態では外部Ｉ／Ｆ３０８に複合機３０が接続されているものとする。
【００５９】
無線通信装置３０９は、例えばＮＦＣなどの通信規格のＩＣタグである。あるいは、Bluetoothなどの通信装置でもよい。無線通信装置３０９は携帯端末１０の近距離無線通信装置１０９の接近を検出すると、近距離無線通信装置１０９と通信して携帯端末１０に通信情報を送信する。無線通信装置３０９は、写真印刷装置５０の筐体の内部の所定位置に配置されて構成されているが、写真印刷装置５０の外部に配置されていてもよい。無線通信装置３０９が提供する通信情報は、リーダ・ライタなどを用いて管理者が書き換えることが可能である。
【００６０】
また、無線通信装置３０９は、写真印刷装置５０と一体である必要はなく、写真印刷装置５０の近くや写真印刷装置５０とは別の装置、又は、案内板などに配置されていてもよい。また、複合機３０が無線通信装置３０９を有していてもよい。
【００６１】
Ｉ／Ｆ３１０は、メディアＩ／Ｆ３１１、写真搬送部３１２、写真印刷ユニット３１３、レシート印刷装置３１４及び課金装置３１５と、バスＢとの動作クロックの違いを調整して、メディアＩ／Ｆ３１１、写真搬送部３１２、写真印刷ユニット３１３、レシート印刷装置３１４及び課金装置３１５からバスＢ又はその逆の通信を制御する。また、Ｉ／Ｆ３１０はメディアＩ／Ｆ３１１、写真搬送部３１２、写真印刷ユニット３１３、レシート印刷装置３１４及び課金装置３１５からの通信を調停する。
【００６２】
メディアＩ／Ｆ３１１はＵＳＢメモリやＳＤメモリなどの記憶媒体が接続されるインタフェースである。本実施形態ではメディアＩ／Ｆ３１１に接続された記憶媒体からファイルを読み出して印刷することができる。
【００６３】
写真搬送部３１２は、印刷された写真をユーザＵが取り出すための機構であり、紙搬送機構や写真取り出し口４１などが相当する。写真印刷ユニット３１３は、印画紙に写真を印刷する装置であり、レーザの光源、露光装置、及び現像器等を有する。レシート印刷装置３１４は、例えば熱転写方式の印刷装置であり原稿９の読み取り数、印刷枚数、単価、合計金額などをレシートとして印刷する。
【００６４】
課金装置３１５は、投入された硬化の金種と数を判定し投入金額を算出し、また、スキャンジョブと印刷ジョブの進捗に応じて投入金額から単価を減じる。残金はＣＰＵ３０１に通知され、ＣＰＵ３０１はスキャンジョブと印刷ジョブを継続するかどうかを判定する。また、ユーザＵが返金する操作を行うと残金を釣り銭取り出し口４４から返金する。
【００６５】
＜機能について＞
画像処理システム１００は、例えば図７に示すような機能ブロックにより表すことができる。図７は、本実施例に係る画像処理システム１００の一例の機能ブロック図である。
【００６６】
<<携帯端末の機能>>
画像処理システム１００の携帯端末１０は、情報取得部１１、ＵＩ表示部１２、操作受付部１３、端末通信部１４、ファイル処理部１６及び認証部１７などを有する。携帯端末１０が有するこれら各機能部は、図４に示された各構成要素のいずれかが、ＳＳＤ１０８からＲＡＭ１０４に展開されたプログラム１０８ｐに従ったＣＰＵ１０６からの命令により動作することで実現される機能又は手段である。このプログラム１０８ｐには画像処理システム１００に対応したアプリが含まれている。
【００６７】
また、携帯端末１０は、ＲＡＭ１０４やＳＳＤ１０８などにより実現され、各種情報を記憶部する記憶部１９を有する。記憶部１９には、通信情報１９１及びファイル形式情報１９２等が記憶され、また、ファイル記憶部１９３が構築される。通信情報の一例を表１に示し、ファイル形式情報を表２に示し、ファイル記憶部１９３を図８にて説明する。
【００６８】
情報取得部１１は、ＣＰＵ１０６がプログラム１０８ｐを実行することや近距離無線通信装置１０９を制御することなどにより実現され、写真印刷装置５０の無線通信装置３０９から通信情報１９１を取得する。情報取得部１１は通信情報１９１を記憶部１９に記憶させる。これにより、端末通信部１４は写真印刷装置５０と通信することができる。
【００６９】
ＵＩ表示部１２は、ＣＰＵ１０６がプログラム１０８ｐを実行することや表示装置１０２を制御することなどにより実現され、ＵＩ（ユーザインタフェース）画面の生成及び表示を行う。また、ＵＩ表示部１２はファイル表示部１５を有している。ファイル表示部１５は、ファイル記憶部１９３に記憶されているファイルをＵＩとして表示する際、ファイル情報の表示態様を制御する。なお、ファイル情報とは、ファイルに関する情報をいい、例えばファイル名、タイムスタンプ、及び、選択状態などである。
【００７０】
操作受付部１３は、ＣＰＵ１０６がプログラム１０８ｐを実行することや入力装置１０１を制御することなどにより実現され、ユーザＵによる携帯端末１０への操作を受け付ける。
【００７１】
端末通信部１４は、ＣＰＵ１０６がプログラム１０８ｐを実行することや通信Ｉ／Ｆ１０７を制御することなどにより実現され、通信情報１９１を用いて写真印刷装置５０と各種のデータを送受信する。
【００７２】
ファイル処理部１６は、ＣＰＵ１０６がプログラム１０８ｐを実行すること等により実現され、ファイルに関する処理を行う。例えば、ファイル情報の更新を行い、ファイルをコピーしたり、ファイル移動したり、削除したり、クラウドから取得したりする。
【００７３】
認証部１７は、ＣＰＵ１０６がプログラム１０８ｐを実行すること等により実現され、ユーザの認証に関する処理を行う
<<写真印刷装置の機能>>
次に、写真印刷装置５０は、情報提供部５１、操作受付部５２、携帯通信部５３、全体制御部５４、写真印刷部５５、画面表示部５６、複合機通信部５７、及び通信部５８などを有する。写真印刷装置５０が有するこれら各機能部は、図６に示された各構成要素のいずれかが、ＨＤＤ３０７からＲＡＭ３０２に展開されたプログラムに従ったＣＰＵ３０１からの命令により動作することで実現される機能又は手段である。
【００７４】
情報提供部５１は、ＣＰＵ３０１がプログラムを実行することや無線通信装置３０９を制御することなどにより実現され、通信情報を携帯端末１０に提供する。
【００７５】
操作受付部５２は、ＣＰＵ３０１がプログラムを実行することやタッチパネル３０５を制御することなどにより実現され、ユーザＵによる写真印刷装置５０への操作を受け付ける。
【００７６】
携帯通信部５３は、ＣＰＵ３０１がプログラムを実行することやネットワークＩ／Ｆ３０６を制御することなどにより実現され、携帯端末１０と各種情報の送受信を行う。
【００７７】
写真印刷部５５は、ＣＰＵ３０１がプログラムを実行することや写真印刷ユニット３１３及び写真搬送部３１２などを制御することなどにより実現され、写真を印刷する。
【００７８】
画面表示部５６は、ＣＰＵ３０１がプログラムを実行することやディスプレイ４６を制御することなどにより実現され、ユーザＵが写真印刷装置５０を操作するための各種の画面の生成及び表示を行う。
【００７９】
複合機通信部５７は、ＣＰＵ３０１がプログラムを実行することや外部Ｉ／Ｆ３０８を制御することなどにより実現され、複合機３０と各種情報の送受信を行う。
【００８０】
通信部５８は、ＣＰＵ３０１がプログラムを実行することやネットワークＩ／Ｆ３０６を制御することなどにより実現され、ネットワークＮを介して各種のサーバなどと通信する。
【００８１】
全体制御部５４はＣＰＵ３０１がプログラムを実行することなどにより実現され、写真印刷装置５０の全体的な動作を制御する。
【００８２】
<<複合機の機能>>
次に、複合機３０は、普通紙印刷部３１、全体制御部３２、装置通信部３３、及び原稿読取部３４などを有する。複合機３０が有するこれら各機能部は、図５に示された各構成要素のいずれかが、ＨＤＤ２１５からＲＡＭ２１２に展開されたプログラムに従ったＣＰＵ２１１からの命令により動作することで実現される機能又は手段である。
【００８３】
普通紙印刷部３１は、ＣＰＵ２１１がプログラム２１５ｐを実行することやプリンタ２０５を制御することなどにより実現され、普通紙に画像データを印刷する。
【００８４】
装置通信部３３は、ＣＰＵ２１１がプログラム２１５ｐを実行することや外部Ｉ／Ｆ２０３を制御することなどにより実現され、写真印刷装置５０と各種情報の送受信を行う。
【００８５】
原稿読取部３４は、ＣＰＵ２１１がプログラム２１５ｐを実行することやスキャナ２０６を制御することなどにより実現され、原稿９を読み取って画像データを生成する。
【００８６】
全体制御部は、ＣＰＵ２１１がプログラム２１５ｐを実行することなどにより実現され、複合機３０の全体的な動作を制御する。
【００８７】
＜情報提供部（無線通信装置）が記憶している通信情報＞
情報提供部（無線通信装置）５１が記憶している通信情報について表１を用いて説明する。この通信情報は携帯端末１０の記憶部１９に記憶される。
【００８８】
【表１】
2018026053.tif 000003
表１は通信情報１９１の一例を示す。通信情報１９１は、ネットワークＮを介して携帯端末１０が写真印刷装置５０と通信を行うための情報である。通信情報１９１には、ネットワークＮにおける写真印刷装置５０のＩＰアドレス、ネットワークＮを識別するためのＳＳＩＤ（Service Set Identifier）、ネットワークＮにおける暗号化方式、パスワード、複合機３０のＨＴＴＰ（HyperText Transfer Protocol）ポート番号又はＨＴＴＰＳ（HTTP over SSL/TLS）ポート番号などの情報を含む。なお、携帯端末１０がデータを暗号化して通信しない場合、パスワードがなくても通信自体は可能である。
【００８９】
【表２】
2018026053.tif 000004
表２はファイル形式情報１９２の一例を示す。ファイル形式情報１９２は、普通紙プリントと写真プリントのそれぞれに対応するファイル形式を示す。例えば、ＪＰＥＧ及びＴＩＦＦのファイル形式は普通紙プリントと写真プリントに対応し、ＢＭＰ及びＰＮＧは写真プリントにのみ対応し、ＰＤＦは普通紙プリントにのみ対応する。これは、ＢＭＰ及びＰＮＧは画像データの場合がほとんどなので普通紙プリントされる可能性がほとんどないためである。また、写真に印刷するデータがＰＤＦファイルで用意されることはほとんどないためである。こうすることで、ユーザが誤って普通紙プリントしたり、写真プリントすることを抑制できる。ただし、ファイル形式によって対応するプリント形式に違いがあるのには種々の理由があり、固定的なものではない。このため、表２の内容も一例に過ぎない。
【００９０】
＜ファイル記憶部について＞
図８はファイル記憶部１９３の構成を模式的に説明する図の一例である。ファイル記憶部１９３は、図示するようにスキャンフォルダ２１とプリントフォルダ２２という２つの  ファイル記憶部１９３は、ＲＡＭ１０４やＳＳＤ１０８などにより実現され、画像データをファイルとして記憶すると共に、記憶されている情報の読み出しを行う。ファイル記憶部１９３は例えばＯＳが提供するファイルシステムが利用されてよく、一例としてフォルダやディレクトリなどでよい。
【００９１】
本実施形態のアプリは少なくともスキャンフォルダ２１とプリントフォルダ２２を有している。複合機３０が原稿９をスキャンして生成した画像データを端末通信部１４が受信すると、端末通信部１４は自動的にスキャンフォルダ２１に格納する。したがって、スキャンフォルダ２１にはスキャンされた画像データがファイルとして格納される。なお、ファイルは携帯端末１０が扱う情報の単位であり、画像データが含まれるものとする。
【００９２】
プリントフォルダ２２は、携帯端末１０が複合機３０に印刷させるファイルが格納されるフォルダである。プリントフォルダ２２には、ユーザＵの操作によりスキャンフォルダ２１のファイルがコピーされる。また、携帯端末１０で動作するアプリが扱う以外のファイルをユーザＵがＯＳの機能を使ってプリントフォルダ２２に移動又はコピーすることができる。したがって、スキャンフォルダ２１には任意のファイルが格納される。プリントの際は、ユーザＵがプリントフォルダ２２で選択した全てのファイルが写真印刷装置５０に送信される。
【００９３】
選択状態を保持するためプリントフォルダ２２の各ファイルは属性が記録されている。
【００９４】
【表３】
2018026053.tif 000005
表３は、プリントフォルダ２２のファイルの属性を模式的に説明する。表３では、各ファイルがファイル名、選択状態、及び、タイムスタンプの各属性を有する。なお、ファイルの属性には、この他、作成者、ファイルの種類等もあり得るが省略されている。
【００９５】
ＵＩ表示部１２はこの選択状態を取得して、チェックマーク５０１の表示と非表示を切り替える。このように、選択状態が管理されるので、写真プリントと普通紙プリントが切り替えられても、携帯端末は選択状態を保持できる。
【００９６】
＜画像処理システム１００の動作手順＞
図９は、画像処理システム１００のスキャン時の動作手順を説明するシーケンス図の一例である。なお、適宜、図１０〜図１４の画面例を説明する。ユーザＵは自分が持っている原稿９をスキャンして画像データを生成するため、写真印刷装置５０のディスプレイ４６を操作する。
【００９７】
S1：写真印刷装置５０のディスプレイ４６にはサービス選択画面６０１が表示されている。ユーザＵはサービスの中から「スキャン」ボタン６０６を選択する。写真印刷装置５０の操作受付部５２は「スキャン」ボタン６０６の押下を受け付ける。図１０（ａ）にサービス選択画面６０１の一例を示す。
【００９８】
S2：また、ユーザＵはスキャンしたい原稿９を複合機３０のＡＤＦ（Auto Document Feeder）又はコンタクトガラス上にセットする。
【００９９】
S3：次に、ユーザＵは写真印刷装置５０に読取条件を設定する。読取条件は、例えばカラー・白黒の選択、原稿サイズ、原稿９の向き、ファイル形式（ＰＤＦ、ＪＰＥＧ、ＯＣＲ付きＰＤＦなど）、解像度、濃度、などである。写真印刷装置５０の操作受付部５２は読取条件を受け付ける。図１０（ｂ）に読取条件設定画面６１１の一例を示す。
【０１００】
S4：最後の読取条件をユーザＵが設定すると、写真印刷装置５０の画面表示部５６は読み取りスタート画面６２１をディスプレイ４６に表示する。ユーザＵは読取条件を確認して読み取りスタートボタン６２２を押下する。写真印刷装置５０の操作受付部５２は読み取りスタートボタン６２２の押下を受け付ける。図１１（ａ）に読み取りスタート画面６２１の一例を示す。
【０１０１】
S5：写真印刷装置５０の全体制御部５４は読み取りスタートボタン６２２の押下に対し、複合機通信部５７により読取条件と共にスキャンジョブを複合機３０に送信する。複合機３０の装置通信部３３はスキャンジョブを受信する。
【０１０２】
S6：複合機３０の全体制御部３２はスキャンジョブを受信したので原稿読取部３４により原稿９を読み取る。原稿読取部３４は画像データを生成する。
【０１０３】
S7：複合機３０の装置通信部３３は画像データを写真印刷装置５０に送信する。写真印刷装置５０の複合機通信部５７は画像データを受信する。
【０１０４】
S8：写真印刷装置５０の全体制御部５４はスキャンジョブに対し画像データを受信したので、画面表示部５６にプレビューを表示させる。画面表示部５６はディスプレイに画像データを表示する。図１１（ｂ）にプレビュー画面６３１の一例を示す。
【０１０５】
S9：ユーザＵはディスプレイ４６に表示されたプレビュー６３３を目視して、意図した画像データが得られたかどうかを判断する。意図した画像データが得られた場合、読取終了ボタン６３２を押下する。これにより、全体制御部５４は画像データを送信するための処理を開始する。なお、意図した画像データが得られない場合、ユーザＵはやり直しボタン６３４を押下する。この場合、ユーザＵはステップＳ３から再度行う。
【０１０６】
S10：ユーザＵはスキャンにより生成された画像データを携帯端末１０で受信するため、携帯端末１０が実行するアプリを起動させる。これ以前に起動していてもよい。ユーザＵは、図１４（ａ）のアプリ起動画面７０１でWi-Fiプリントボタン７０２を選択する。携帯端末１０の操作受付部１３はこの操作を受け付け、ＵＩ表示部１２はWi-Fiプリント画面７１１を表示する。図１４（ｂ）にWi-Fiプリント画面７１１を示す。更に、ユーザＵはスキャナで取り込むボタン７１５を押下する。携帯端末１０の操作受付部１３はこの操作を受け付け、ＵＩ表示部１２はスキャン取り込み画面７２１を表示する。図１４（ｃ）にスキャン取り込み画面７２１を示す。
【０１０７】
S11：ユーザＵはスキャン取り込み画面７２１で接続ボタン７２２を押下する。携帯端末１０の操作受付部１３はこの操作を受け付け、端末通信部１４は写真印刷装置５０との通信接続を開始する。どのように通信接続を行うかはAndroid（登録商標） ＯＳとｉＯＳ（登録商標）で異なっている。Android（登録商標） ＯＳの場合、記憶部１９に記憶されている通信情報１９１をアプリがＯＳに設定して通信接続することができる。ｉＯＳ（登録商標）の場合、ユーザＵが通信情報を設定する操作を行うことで通信接続される。これらにより、通信情報１９１に含まれるアクセスポイントのＳＳＩＤとパスワードが設定され携帯端末１０はアクセスポイントに接続でき、通信情報に含まれる写真印刷装置５０のＩＰアドレスを宛先にすることで写真印刷装置５０と通信できる。
【０１０８】
S12：通信接続が完了すると、写真印刷装置５０の全体制御部５４はＰＩＮコードを発行する。ＰＩＮ（Personal Identification Number）コードはユーザＵを認証するための情報である。携帯端末１０と写真印刷装置５０は無線で通信しているため、原稿９を用意したユーザＵ以外の第三者の携帯端末と通信する可能性も否定できない。このため、ＰＩＮコードを携帯端末１０に表示させ、ユーザＵがそのＰＩＮコードを写真印刷装置５０に入力した場合、写真印刷装置５０は原稿９を用意したユーザＵの携帯端末１０と通信していると判定する。このため、写真印刷装置５０の携帯通信部５３は発行されたＰＩＮコードを携帯端末１０に送信する。
【０１０９】
S13：携帯端末１０の端末通信部１４はＰＩＮコードを受信すると、ＵＩ表示部１２がＰＩＮコードを表示装置１０２に表示する。図１４（ｄ）にＰＩＮコード画面７３１を示す。したがって、ユーザＵはＰＩＮコードを読み取ることができる。
【０１１０】
S14：ユーザＵは携帯端末１０の表示装置１０２に表示されたＰＩＮコードを写真印刷装置５０に入力する。写真印刷装置５０の操作受付部５２はＰＩＮコードを受け付ける。図１２（ａ）にＰＩＮコード入力画面６４１の一例を示す。
【０１１１】
S15：そして、全体制御部５４は発行したＰＩＮコードと入力されたＰＩＮコードが一致するか否かを判定する。本実施形態では一致したものとして説明する。一致した場合、写真印刷装置５０の画面表示部５６は料金画面６５１を表示する。図１２（ｂ）に料金画面６５１の一例を示す。
【０１１２】
S16：全体制御部５４はＰＩＮコードが一致したのでユーザＵを認証できたものと判定する。料金画面６５１でユーザが保存スタートボタン６５４を押下すると、操作受付部５２がこれを受け付け、携帯通信部５３は画像データを携帯端末１０に送信する。なお、ユーザＵが指定したファイル形式に変換し、更に日時などのファイル名を付与する。携帯端末１０の端末通信部１４は画像データを受信する。
【０１１３】
S17：携帯端末１０の端末通信部１４はファイル記憶部１９３のスキャンフォルダ２１に画像データを記憶する。ファイル記憶部１９３のスキャンフォルダ２１に新たな画像データが記憶されると、ＵＩ表示部１２がスキャンフォルダ画面７４１を表示する。図１４（ｅ）にスキャンフォルダ画面７４１を示す。
【０１１４】
S18:画像データを受信すると携帯端末１０の端末通信部１４は受信完了を写真印刷装置５０に送信する。これにより、写真印刷装置５０の画面表示部５６は終了画面６６１を表示する。図１３に終了画面６６１の一例を示す。
【０１１５】
S19：これにより、写真印刷装置５０の携帯通信部５３は通信接続を切断する。例えばWi-Fiの通信接続を切断する。
【０１１６】
＜スキャン時の画面例＞
図１０〜図１４の画面例について説明する。図１０（ａ）のサービス選択画面６０１は、「白黒簡単コピー」ボタン６０２、「いろいろなコピー」ボタン６０３、「プリント」ボタン６０４、「ファクス」ボタン６０５、「スキャン」ボタン６０６、「行政サービス」ボタン６０７などの選択可能に表示する。本実施形態では「スキャン」ボタン６０６が選択される。「白黒簡単コピー」ボタン６０２は普通紙に白黒でコピーするためのボタンである。「いろいろなコピー」ボタン６０３は普通紙に白黒又はカラーでコピーするためのボタンである。「プリント」ボタン６０４は記憶媒体からファイルを印刷したり、携帯端末１０のファイルを印刷したりするためのボタンである。「ファクス」ボタン６０５はファクス送信するためのボタンであり、「スキャン」ボタン６０６は原稿をスキャンして画像データを取得するためのボタンである。「行政サービス」ボタン６０７は住民票の写しや印鑑証明などを印刷するためのボタンである。
【０１１７】
図１０（ｂ）の読取条件設定画面６１１は読取条件の１つである原稿サイズの選択を受け付けるための画面である。読取条件設定画面６１１には自動、Ｌ板、Ｂ５、Ａ４、Ｂ４、Ａ３の各原稿サイズの選択ボタン、及び、原稿セット例６１３が表示されている。ユーザＵは原稿９のサイズを選択したり、原稿のセット方向を確認できる。この他の読取条件の設定画面については省略されている。
【０１１８】
図１１（ａ）の読み取りスタート画面６２１は、各種の読取条件６２３、読み取りスタートボタン６２２及び原稿向き表示欄６２４を有している。ユーザＵは読取条件６２３を確認し、読み取りスタートボタン６２２を押下する。また、原稿向き表示欄６２４を見て原稿の向きを確認できる。
【０１１９】
図１１（ｂ）のプレビュー画面６３１は、読み取られた画像データのプレビュー６３３、やり直しボタン６３４、次の原稿９を読み取るボタン６３５、及び、読取終了ボタン６３２を有している。プレビュー６３３は複合機３０が読み取った原稿の画像データを表示する。やり直しボタン６３４が押下されると、画像データは破棄され読取条件設定画面６１１が表示される（料金はかからない）。次の原稿９を読み取るボタン６３５が押下されると、読み取りスタート画面６２１が表示される。読取終了ボタン６３２はＰＩＮコード入力画面６４１を表示させるためのボタンである。
【０１２０】
図１２（ａ）のＰＩＮコード入力画面６４１は、ＰＩＮコード入力欄６４３、テンキー６４２及びメッセージ６４４を表示する。まず、メッセージ６４４には「スマートフォンに表示されているＰＩＮコードを入力してください」と表示されている。ユーザＵはテンキー６４２で携帯端末１０に表示されたＰＩＮコードを、ＰＩＮコード入力欄６４３に入力する。
【０１２１】
図１２（ｂ）の料金画面６５１はプレビュー６５２と、料金欄６５３と、中止ボタン６５５と、保存スタートボタン６５４が表示されている。料金欄６５３は、スキャンした合計枚数、合計金額、投入金額、及び不足金額を表示する。不足金額がない場合、保存スタートボタン６５４が有効になり、ユーザＵは保存スタートボタン６５４を押下できる。これにより、画像データが携帯端末１０に送信され、課金装置３１５により合計金額が収納される。不足金額がある場合、ユーザＵは保存スタートボタン６５４を押下できない。この場合、ユーザＵは不足金額を投入するか中止ボタン６５５を押下する。これにより、画像データが破棄される。
【０１２２】
図１３の終了画面６６１は、スキャン結果情報６６２、続けるボタン６６３、領収書を印刷して終了ボタン６６４、及び、終了ボタン６６５を有する。スキャン結果情報６６２により、ファイル名、ファイル数、合計枚数、合計サイズ、及び、合計金額をユーザＵが確認できる。続けるボタン６６３が押下されると例えば読取条件設定画面６１１に戻る。領収書を印刷して終了ボタン６６４が押下されると領収書（レシート）が印刷されサービス選択画面６０１に戻る。終了ボタンが押下されると領収書（レシート）が印刷されずにサービス選択画面６０１に戻る。
【０１２３】
図１４（ａ）のアプリ起動画面７０１は、Wi-Fiプリントボタン７０２及びクラウドプリントボタン７０３を有する。Wi-Fiプリントボタン７０２は、携帯端末１０と写真印刷装置５０とを無線ＬＡＮで通信させ、携帯端末１０が画像データを写真印刷装置５０に送信しプリントさせるためのボタンである。また、Wi-Fiプリントボタン７０２により複合機３０でスキャンした原稿９の画像データを取得できる。クラウドプリントボタン７０３は携帯端末１０がクラウド上のファイルを指定すると複合機３０がダウンロードしてプリントするためのボタンである。
【０１２４】
図１４（ｂ）のWi-Fiプリント画面７１１は、写真や文書をプリントボタン７１２、Ｗｅｂページをプリントボタン７１３、テキストをプリントボタン７１４、スキャナで取り込むボタン７１５、及びスキャンフォルダボタン７１６を有する。写真や文書をプリントボタン７１２は、携帯端末１０の画像データを写真や普通紙でプリントするためのボタンである。Ｗｅｂページをプリントボタン７１３は、Ｗｅｂページをプリントするためのボタンである。テキストをプリントボタン７１４は携帯端末１０が保持するテキストデータをプリントするためのボタンである。スキャナで取り込むボタン７１５はスキャナ２０６が読み取った画像データを携帯端末１０が取得するためのボタンである。スキャンフォルダボタン７１６はアプリのスキャンフォルダ２１を表示するためのボタンである。
【０１２５】
図１４（ｃ）のスキャン取り込み画面７２１は、保存可能容量欄７２３、及び接続ボタン７２２を有する。保存可能容量欄７２３は携帯端末１０の空き容量でありスキャンされた画像データを保存できるかどうかをユーザＵが判断するための目安となる。接続ボタン７２２は、携帯端末１０と写真印刷装置５０を無線ＬＡＮで通信接続させるためのボタンである。
【０１２６】
図１４（ｄ）のＰＩＮコード画面７３１は、ＰＩＮコード欄７３２を有する。ＰＩＮコード欄７３２には写真印刷装置５０が発行したＰＩＮコードが表示される。ユーザＵはこのＰＩＮコードを写真印刷装置５０に入力する。
【０１２７】
図１４（ｅ）のスキャンフォルダ画面７４１は、スキャンフォルダ内の全てのファイルを表示する。スキャンフォルダ２１には複合機３０がスキャンしたフォルダが自動的に格納される。
【０１２８】
＜プリント時の動作＞
図１５は、画像処理システム１００のプリント時の動作手順を説明するシーケンス図の一例である。なお、適宜、図１６〜図１９の画面例を説明する。ユーザＵはスキャンした原稿９の画像データを印刷するため、写真印刷装置５０のディスプレイ４６を操作する。このように、ユーザＵは移動中、重い原稿９を持って移動する必要がなくなる。
【０１２９】
S1：写真印刷装置５０のディスプレイ４６にはサービス選択画面６０１が表示されている。サービス選択画面６０１は図１０（ａ）に示した。プリントを行う場合、ユーザＵはサービスの中から「プリント」ボタン６０４を選択する。写真印刷装置５０の操作受付部５２は「プリント」ボタン６０４の選択を受け付ける。
【０１３０】
S2：また、ユーザＵは携帯端末１０が実行するアプリを操作してファイルを選択する。まず、ユーザＵは、図１９（ａ）のアプリ起動画面７０１でWi-Fiプリントボタン７０２を選択し、図１９（ｂ）のWi-Fiプリント画面７１１でスキャンフォルダボタン７１６を押下する。スキャンした画像データを選択してプリントフォルダ２２に移動させるためである。携帯端末１０の操作受付部１３はユーザＵの操作を受け付け、ＵＩ表示部１２は図１９（ｃ）のスキャンフォルダ画面７４１を表示する。
【０１３１】
S3：ユーザＵは印刷するファイルに所定の操作を行うことで選択状態にする（例えば、タップする）。更にユーザＵはファイルをプリントフォルダ２２に移動するための操作を行う。携帯端末１０の操作受付部１３はユーザＵの操作を受け付け、ファイル処理部１６は選択されたファイルをプリントフォルダ２２にコピーする。
【０１３２】
S4：次に、ユーザＵは図１９（ｂ）のWi-Fiプリント画面７１１に戻って、写真や文書をプリントボタン７１２を押下する。携帯端末１０の操作受付部１３はユーザＵの操作を受け付け、ＵＩ表示部１２は図１９（ｄ）のプリント画面７５１を表示する。なお、ユーザは、スキャンフォルダ画面７４１から直接、プリント画面７５１に遷移させることもできる。ユーザＵは普通紙プリントボタン７５２又は写真プリントボタン７５３を選択すると共に、ファイルリスト欄７５４から印刷するファイルを選択する。
【０１３３】
S5：携帯端末１０の操作受付部１３はユーザＵの操作を受け付け、ＵＩ表示部１２はユーザが選択したファイルを選択状態にして表示する。選択状態のファイルにはチェックマーク５０１が表示される。なお、この選択の詳細は後述される。
【０１３４】
S6：ユーザＵが次へボタン７５５を押下すると、携帯端末１０の操作受付部１３はユーザＵの操作を受け付け、端末通信部１４が写真印刷装置５０と通信接続する。上記のように携帯端末１０が写真印刷装置５０から通信情報を読み取ることで携帯端末１０の記憶部１９には通信情報１９１が記憶されている。通信情報１９１によりスキャン時と同様に通信接続できる。
【０１３５】
S7：通信接続できると、ＵＩ表示部１２は図１９（ｅ）の送信画面７６１を表示する。ユーザＵが送信ボタン７６２を押下すると、携帯端末１０の操作受付部１３はユーザＵの操作を受け付け、端末通信部１４が画像データ（ユーザＵが選択したファイル）を写真印刷装置５０に送信する。
【０１３６】
S8：画像データの送信が終了すると、携帯端末１０の端末通信部１４は複合機３０との通信を切断する。また、端末通信部１４が通信完了の旨を受信すると、ＵＩ表示部１２は図１９（ｆ）の送信完了画面７７１を表示する。ユーザＵがＯＫボタン７７２を押下すると、操作受付部１３が操作を受け付け、ＵＩ表示部１２は図１９（ａ）のアプリ起動画面７０１を表示する。
【０１３７】
S9：写真印刷装置５０の端末通信部１４はファイルを受信すると、画面表示部５６がディスプレイ４６に印刷設定に関する画面を表示する。例えば、図１６（ａ）の写真印刷設定画面８０１、図１６（ｂ）の画像選択画面８１１等を表示する。
【０１３８】
S10：ユーザＵは図１６（ａ）の写真印刷設定画面８０１でフチありかフチなしを選択し、図１６（ｂ）の画像選択画面８１１で印刷する画像データを選択したり、印刷枚数を選択したりする。また、カラー・白黒、用紙サイズなど各種の印刷設定を行う。写真印刷装置５０の操作受付部５２はユーザＵの操作を受けつける。
【０１３９】
S11：ユーザＵが次へボタン８１２を押下すると、操作受付部５２が操作を受け付け、画面表示部５６が図１７（ａ）のプリントスタート画面８２１をディスプレイ４６に表示する。ユーザＵがプリントスタートボタン８２２を押下すると、操作受付部５２がプリントスタートを受け付ける。
【０１４０】
次のステップS12とS13はどちらかが実行される。
S12：写真プリントの場合、写真印刷装置５０の写真印刷部５５は印刷設定に基づき画像データを写真プリントする。画面表示部５６は図１７（ｂ）の印刷中画面８３１をディスプレイ４６に表示する。
【０１４１】
S13：普通紙プリントの場合、写真印刷装置５０の複合機通信部５７は印刷設定と画像データを含む印刷ジョブを複合機３０に送信する。
【０１４２】
S14：これにより、複合機３０の普通紙印刷部３１は印刷設定に基づき画像データを普通紙に印刷する。
【０１４３】
S15：写真印刷装置５０の全体制御部５４は写真プリントが終了すると（又は複合機３０から印刷終了を受信すると）、画面表示部５６に終了画面８４１を表示させる。図１８に終了画面８４１の一例を示す。
【０１４４】
<<プリント時の画面例>>
図１６〜図１９の画面例について説明する。図１６（ａ）の写真印刷設定画面８０１は印刷設定の１つであるフチなしとフチありのいずれかをユーザＵが選択するための画面である。写真印刷設定画面８０１は、プレビュー欄８０２、フチなしボタン８０３及びフチありボタン８０４を有し、ユーザＵが選択できるようになっている。
【０１４５】
図１６（ｂ）の画像選択画面８１１は、ユーザＵが印刷するファイルと枚数を選択するための画面である。画像選択画面８１１では携帯端末１０から送信された画像データがリスト状に表示されている。ユーザＵは任意の画像データを選択状態にして（例えばタップする）プラスボタン８１３、マイナスボタン８１４を押下すことで枚数を入力する。また、ユーザＵが決定して次へボタン８１２を押下すると、プリントスタート画面８２１が表示される。
【０１４６】
図１７（ａ）は、プリントスタート画面８２１の一例である。プリントスタート画面８２１はユーザＵがプリントを開始するためのボタンである。プリントスタート画面８２１はプレビュー欄８２３、料金欄８２４、及び、プリントスタートボタン８２２を有する。プレビュー欄８２３は画像データのプレビューが表示される欄であり、料金欄８２４は合計枚数、合計金額、及び投入金額を表示する。合計金額＞投入金額の場合、ユーザＵはプリントスタートボタン８２２を押下できない。あるいは、プリントスタート後、合計金額＞投入金額になった時点で印刷が終了する。この場合、ユーザＵは硬貨投入口から不足金額を入金する。
【０１４７】
図１７（ｂ）は印刷中画面８３１の一例である。印刷中画面８３１は印刷中の状態を報知するための画面である。印刷中画面８３１は、プリント中画像欄８３２、プリントの進捗欄８３３、料金欄８３４、及び、中止ボタン８３５を有する。プリント中画像欄８３２にはプリント中の画像データのプレビューなどが表示され、プリントの進捗欄８３３にはプリントの進捗状況が表示される。料金欄８３４は図１７（ａ）と同様である。中止ボタン８３５は、プリントを途中で中止するためのボタンである。
【０１４８】
図１８は、終了画面８４１の一例である、終了画面８４１はプリントの終了をユーザＵに報知するための画面である。終了画面８４１は、プリント結果情報８４２、続けるボタン８４３、領収書を印刷して終了ボタン８４４、及び、終了ボタン８４５を有する。プリント結果情報８４２により、合計枚数、及び、合計金額をユーザＵが確認できる。続けるボタン８４３が押下されると例えば写真印刷設定画面８０１に戻る。領収書を印刷して終了ボタン８４４が押下されると領収書（レシート）が印刷されサービス選択画面６０１に戻る。終了ボタン８４５が押下されると領収書（レシート）が印刷されずにサービス選択画面６０１に戻る。
【０１４９】
図１９（ａ）は図１４（ａ）と同じであり、図１９（ｂ）は図１４（ｂ）と同じである。図１９（ｃ）のスキャンフォルダ画面７４１は、スキャンフォルダ２１のファイルの一覧を表示する。図１４（ｅ）のスキャンフォルダ画面７４１と同じ画面である。図１９（ｃ）では３つのファイルが選択状態になっている。ファイルが選択状態にされ、ユーザが転送ボタン７４２を押下すると、選択されたファイルはプリントフォルダ２２にコピーされる。
【０１５０】
図１９（ｄ）のプリント画面７５１はユーザＵがプリントするファイルを選択するための画面である。プリント画面７５１は、普通紙プリントボタン７５２、写真プリントボタン７５３、ファイルリスト欄７５４、及び、次へボタン７５５を有する。普通紙プリントボタン７５２が押下されると普通紙プリントが可能なファイル形式のファイルがグレーアウトされずに表示され、普通紙プリントが可能でないファイル形式のファイルがグレーアウトされて表示される。写真プリントボタン７５３が押下されると写真プリントが可能なファイル形式のファイルがグレーアウトされずに表示され、写真プリントが可能でないファイル形式のファイルがグレーアウトされて表示される。ファイルリスト欄７５４にはファイル名、チェックマーク５０１、タイムスタンプなどのファイル情報が表示される。次へボタン７５５が押下されると図１９（ｅ）の送信画面７６１が表示される。
【０１５１】
図１９（ｅ）は送信画面７６１の一例である。送信画面７６１は画像データの送信の最終的な確認をユーザＵから受け付けるためのボタンである。送信画面７６１は送信ボタン７６２を有する。送信ボタン７６２は、ユーザＵが選択したファイルを写真印刷装置５０に送信するためのボタンである。
【０１５２】
図１９（ｆ）は送信完了画面７７１の一例である。送信完了画面７７１は画像データの送信が完了したことをユーザＵに報知するための画面である。送信完了画面７７１には、「写真印刷装置５０の画面でプリント操作を行ってください。」というメッセージ７７３、及び、ＯＫボタン７７２が表示される。メッセージ７７３によりユーザＵは写真印刷装置５０を操作すべきことを把握できる。また、ユーザＵがＯＫボタン７７２を押下すると図１９（ａ）のアプリ起動画面７０１に戻る。
【０１５３】
＜プリントフォルダにおけるファイルの選択＞
図２０を用いて、スキャンフォルダ２１からプリントフォルダ２２へのファイルのコピー等について説明する。図２０はスキャンフォルダ２１に格納されているファイルを模式的に示す。図２０では、1.jpg、2.bmp、3.png、4.tiff、5.pdf、6.jpgの６つのファイルが格納されている。ユーザＵがスキャンフォルダ画面７４１で1.jpg、2.bmp、3.png、4.tiff、5.pdfを選択して転送する操作を行ったものとする。この場合、ファイル処理部１６はスキャンフォルダ２１の1.jpg、2.bmp、3.png、4.tiff、5.pdfをプリントフォルダ２２にコピーする。これにより、ユーザＵがプリントフォルダ２２のファイルを選択できるようになる。
【０１５４】
図２１は、プリント画面７５１におけるファイル情報の表示方法を説明する図の一例である。図２１（ａ）は、ユーザが写真プリントボタン７５３を選択することによって出力方法が指定されたプリント画面７５１の一例を示す。プリントフォルダ２２には５つのファイルが含まれているので５つのファイルが表示されている。このうち、ｐｄｆファイルは写真プリントに非対応なので、ファイル表示部１５は5.pdfファイルのファイル情報をグレーアウト表示する。また、操作受付部１３は5.pdfファイルの選択を受け付けることができない。一方、1.jpg、2.bmp、3.png、4.tiffは写真プリントに対応しているため、ファイル表示部１５はこれらを通常の輝度で表示し（強調して表示し）、操作受付部１３も選択を受け付けることができる。図２１（ａ）では1.jpg、2.bmp及び3.pngの選択が受け付けられている。このためファイル表示部１５は1.jpg、2.bmp、3.pngの先頭にチェックマーク５０１を表示する。
【０１５５】
この選択状態のまま、図２１（ｂ）に示すように、ユーザＵが普通紙プリントボタン７５２を押下して異なる出力方法を指定したものとする。ファイル表示部１５は普通紙プリントに対応しているか否かに関係なく全てのファイルのファイル情報を表示する。したがって、ユーザＵは普通紙プリントボタン７５２と写真プリントボタン７５３のどちらを選択しても常にプリントフォルダ２２の全てのファイルを確認できる。
【０１５６】
しかしながら、ｂｍｐファイルとｐｎｇファイルは普通紙プリントに非対応なので、ファイル表示部１５はチェックマーク５０１を表示したまま2.bmp及び3.pngをグレーアウト表示する。これにより、ユーザＵは2.bmp及び3.pngを普通紙プリントできないことを把握できる。
【０１５７】
また、ファイル表示部１５は普通紙プリントに対応したｐｄｆファイルを通常の輝度で表示するので、ユーザＵは5.pdfを選択できることを把握できる。図２１（ｂ）でユーザＵは5.pdfを選択したものとする。操作受付部１３はこの選択を受け付けて、ファイル表示部１５が5.pdfの先頭にチェックマーク５０１を表示する。
【０１５８】
この選択状態のまま、図２１（ｃ）に示すように、ユーザＵが写真プリントボタン７５３を押下したものとする。図２１（ａ）と同様にファイル表示部１５は5.pdfファイルのファイル情報をグレーアウト表示するが、2.bmpと3.pngを通常の輝度で表示する。また、2.bmpと3.pngは選択状態のままであるため、チェックマーク５０１を表示する。したがって、ユーザＵは一度選択したファイルを選択し直す必要がない。
【０１５９】
なお、図２１ではユーザＵが普通紙プリントボタン７５２又は写真プリントボタン７５３を押下することで、普通紙プリントに対応したファイルと写真プリントに対応したファイルが表示されるが、プリントモードの切り替えボタンの押下により普通紙プリントと写真プリントが切り替えられてもよい。切り替えボタンは、１回の押下で普通紙プリントに対応したファイルを表示させ、次の押下で写真プリントに対応したファイルを表示させるボタンである。また、携帯端末１０がタッチパネルを有する場合、ユーザＵが画面上の所定の領域をスワイプ等することで普通紙プリントと写真プリントを切り替えてもよい。
【０１６０】
<<表示手順>>
図２２は、ファイル表示部１５がプリント画面の表示を行う手順を示すフローチャート図の一例である。図２２の処理はプリント画面７５１の表示中、繰り返し実行される。
【０１６１】
まず、ファイル表示部１５は、プリントフォルダ２２に格納されているファイルのファイル情報を読み出す（Ｓ１０）。すなわち、ファイル名、選択状態、タイムスタンプなど表示される情報を読み出す。
【０１６２】
次に、ファイル表示部１５は、普通紙プリントボタン７５２が押下されたか又は写真プリントボタン７５３が押下されたかを判定する（Ｓ２０）。Wi-Fiプリント画面７１１等からプリント画面７５１に遷移した直後の場合、最後にプリント画面７５１を表示した時の状態を採用する。あるいは、予め普通紙プリントボタン７５２と写真プリントボタン７５３のどちらが優先か定められている場合は優先されている状態を採用する。
【０１６３】
ステップＳ２０の判定がＹｅｓの場合、普通紙プリントボタン７５２が押下されたので、ファイル表示部１５はｂｍｐファイル、ｐｎｇファイルのファイル情報をグレーアウト表示する（Ｓ３０）。その他のファイル形式のファイル情報は通常の輝度で表示する。また、操作受付部１３はｂｍｐファイル、ｐｎｇファイルに対する操作を受け付けない。どのように実現してもよいが、例えばＯＳがタップを無視する、ＯＳがタップを検知してもファイル表示部１５が何もしないなどが考えられる。
【０１６４】
ステップＳ２０の判定がＮｏの場合、写真プリントボタン７５３が押下されたので、ファイル表示部１５はｐｄｆファイルのファイル情報をグレーアウト表示する（Ｓ４０）。その他のファイル形式のファイル情報は通常の輝度で表示する。また、操作受付部１３はｐｄｆファイルに対する操作を受け付けない。
【０１６５】
次に、ファイル表示部１５は選択状態に変更があるか否かを判定する（Ｓ５０）。すなわち、操作受付部１３がユーザＵによるファイルの選択操作、又は、ファイルの選択解除の操作を受け付けた否か判定する。ステップＳ５０の判定がＮｏの場合、処理はステップＳ２０に戻る。
【０１６６】
ステップＳ５０の判定がＹｅｓの場合、ファイル処理部１６はファイル情報の選択状態を更新する（Ｓ６０）。
【０１６７】
そして、ファイル表示部１５はファイル情報を参照して、チェックマーク５０１を更新して表示する（Ｓ７０）。すなわち、ファイルが新たに選択された場合はチェックマーク５０１を表示し、ファイルが未選択になった場合はチェックマーク５０１を消去する。
【０１６８】
この後、処理はステップＳ２０に戻り、ユーザＵの操作に応じてファイル情報の表示処理が繰り返し実行される。別の画面に遷移すると図２２の処理は終了する。
【０１６９】
＜クラウドプリントについて＞
クラウドプリントとは、クラウドに保存されたファイルを複合機３０が取得して印刷する印刷形態をいう。本実施形態のファイルの表示方法はクラウドプリントでも同様であるが、クラウドプリントの場合は、携帯端末１０から写真印刷装置５０にファイルを送信するWi-Fiプリントよりも多くのファイル形式のファイルをユーザが選択できる。
【０１７０】
まず、図２３を用いて、画像処理システム１００の動作手順を説明する。図２３は、クラウドプリントにおいて、画像処理システム１００の動作手順を説明するシーケンス図の一例である。なお、図２３では図１５との相違を主に説明する。なお、適宜、図２４の画面例を説明する。図２３の文書サーバ６０はクラウド上に存在し、ユーザの文書ファイルを管理する情報処理装置である。
【０１７１】
まず、ステップS1は図１５と同様でよい。
S2：ユーザＵは携帯端末１０が実行するアプリを操作してクラウドプリントを選択する。ユーザＵは、図２４（ａ）のアプリ起動画面７０１でクラウドプリントボタン７０３を選択する。
【０１７２】
S3-1：携帯端末１０の操作受付部１３はユーザＵの操作を受け付け、ＵＩ表示部１２は図２４（ｂ）の認証画面９０１を表示する。ユーザはユーザＩＤとパスワードを入力してログインボタン９０２を押下する。
【０１７３】
S3-2：携帯端末１０の操作受付部１３はユーザＵの操作を受け付け、認証部１７がユーザＩＤとパスワードを送信して文書サーバ６０に認証要求する。
【０１７４】
S3-3：文書サーバ６０はユーザＩＤとパスワードでユーザを認証する。ここではユーザの認証が成立したものとする。認証が成立すると文書サーバ６０はユーザＩＤに対応付けられているファイルの一覧であるファイルリストを携帯端末１０に送信する。これにより、ＵＩ表示部１２は、図２４（ｃ）のクラウドプリント画面９１１を表示する。
【０１７５】
S4：次に、ユーザＵはクラウドプリント画面９１１で、写真や文書をプリントボタン９１２を押下する。携帯端末１０の操作受付部１３はユーザＵの操作を受け付け、ＵＩ表示部１２は図２４（ｄ）のプリント画面９２１を表示する。ユーザＵは普通紙プリントボタン９２２又は写真プリントボタン９２３を選択すると共に、ファイルリスト欄９２４から印刷するファイルを選択する。
【０１７６】
ステップS5、S6は図１５と同様である。
【０１７７】
S7：通信接続できると、図１９（ｅ）の送信画面７６１が表示され、ユーザＵが送信ボタン７６２を押下する。携帯端末１０の操作受付部１３はユーザＵの操作を受け付け、端末通信部１４が画像データでなくユーザＵが選択したファイルのファイルＩＤを写真印刷装置５０に送信する。ファイルＩＤはファイルを特定する情報、ファイルを識別する情報ある。また、ユーザＵのユーザＩＤとパスワードを送信することが好ましい。複合機３０が文書サーバ６０の認証を受けるためである。
【０１７８】
S8-1：画像データの送信が終了すると、携帯端末１０の端末通信部１４は複合機３０との通信を切断する。
【０１７９】
S8-2：ファイルＩＤを取得すると、写真印刷装置５０の通信部５８はファイルＩＤと共にファイル要求を文書サーバ６０に送信する。
【０１８０】
S8-3：文書サーバ６０がこのファイルＩＤのファイルを送信するので、写真印刷装置５０の通信部５８はファイルを受信する。これにより、図１５と同様に写真印刷装置５０が画像データを取得できたことになる。以降のステップＳ９〜Ｓ１４の処理は図１５と同様でよい。
【０１８１】
なお、図２３のシーケンス図では携帯端末１０から写真印刷装置５０へファイルＩＤを送信することによって写真印刷装置５０がユーザによって選択されたファイルを特定し、特定したファイルを文書サーバ６０へ要求しているが、別の方法で写真印刷装置５０が文書サーバ６０にファイルを要求してもよい。例えば、ユーザによって文書サーバ６０にファイルが登録された際に文書サーバ６０によって固有の認証情報を発行し、発行された認証情報を登録されたファイルに関連付けて文書サーバ６０に保存する。なお、認証情報には例えばＰＩＮコードやパスワード等が含まれる。発行された認証情報は、ユーザの携帯端末１０の表示画面に表示又はユーザのメールアドレス等の所定の通知先に通知することでユーザは予め認証情報を取得しておくことができる。ユーザはディスプレイ４６のタッチパネルを介して認証情報を入力することによって、写真印刷装置５０は入力された認証情報を文書サーバ６０へ送信し、文書サーバ６０は受信した認証情報と一致する認証情報がファイルに関連付けられて保存されているか否かを判定し、一致する認証情報があれば関連付けられているファイルを写真印刷装置５０へ送信する。以降のステップは図２３のシーケンス図のＳ９〜Ｓ１４と同様である。また、認証情報に関連付けられるファイルは複数であってもよい。なお、ディスプレイ４６のタッチパネルを介して認証情報を入力する代わりに、携帯端末１０から写真印刷装置５０と確立された通信セッションを介して認証情報を送信してもよい。
【０１８２】
クラウドプリントの利点は、文書サーバ６０が多様なファイル形式に対応できる点である。例えば、使用頻度が高いが携帯端末１０では動作しないアプリケーションソフト（例えば、Word（登録商標）、Excel（登録商標）等）を動作させることができるので、これらのアプリケーションソフトのファイル形式のファイルを開いてプリンタドライバに送出できる。
【０１８３】
したがって、プリント画面９２１において、普通紙プリントボタン９２２又は写真プリントボタン９２３が押下された際に、選択可能となるファイル形式もWi-Fiプリントとは異なっている。しかしながら、プリント画面９２１におけるファイル情報の表示方法は、Wi-Fiプリントのプリント画面７５１と同様でよい。
【０１８４】
<<クラウドプリント時の画面例>>
図２４の画面例について説明する。図２４（ａ）は図１４（ａ）と同じである。
図２４（ｂ）の認証画面９０１は、ユーザが認証操作を行うための画面である。認証画面９０１は、ユーザＩＤ入力欄９０３、パスワード入力欄９０４及びログインボタン９０２を有する。ユーザＩＤ入力欄９０３はユーザＩＤを入力するための欄であり、パスワード入力欄９０４はパスワードを入力するための欄である。ログインボタン９０２は認証要求を送信するためのボタンである。
【０１８５】
図２４（ｃ）のクラウドプリント画面９１１は、図１９（ｂ）のWi-Fiプリント画面７１１と同様であるが、スキャナで取り込むボタン７１５がなく、クラウドプリント一覧ボタン９１５を有する。クラウドプリント一覧ボタン９１５は、文書サーバ６０のファイルを取得してファイルの内容を表示させるためのボタンである。
【０１８６】
図２４（ｄ）のプリント画面９２１は、ユーザＵがプリントするファイルを選択するための画面である。プリント画面９２１の構成はプリント画面７５１と同様である。
【０１８７】
＜まとめ＞
以上説明したように、本実施形態の画像処理システムは、ユーザＵが普通紙プリントと写真プリントのどちらを選択しても常にフォルダ内のファイルを把握できる。また、グレーアウト表示により印刷できないファイルを把握できる。また、ユーザが普通紙プリントと写真プリントのどちらに切り替えても、選択状態が保持されるので、普通紙プリントから写真プリント又は写真プリントから普通紙プリントに切り替えても、ファイルを選択し直す必要がない。
【０１８８】
＜その他の適用例＞
以上、本発明を実施するための最良の形態について実施例を用いて説明したが、本発明はこうした実施例に何等限定されるものではなく、本発明の要旨を逸脱しない範囲内において種々の変形及び置換を加えることができる。
【０１８９】
例えば、本実施形態では、普通紙プリントと写真プリントのように印刷方法によってファイル情報の表示態様を切り替えたが、プリントとファクスのように出力先によってファイル情報の表示態様を切り替えてもよい。例えば、プリントではＰＤＦファイルの出力が禁止されていないが、ファクスの送信が禁止されている場合などに適用できる。この他、白黒のプリントとカラーのプリントでも同様に表示態様を切り替えることができる。
【０１９０】
また、ファイル形式でなくファイル名に特定の用語や文字列が含まれているかどうかによって、ファイル情報の表示態様を切り替えてもよい。また、ファイルの作成者によってファイル情報の表示態様を切り替えてもよい。
【０１９１】
また、本実施形態では、普通紙プリントと写真プリントの２つ印刷方法が切り替えられたが、更に熱転写プリントやインクジェットプリントなどの印刷方法をユーザが選択できてもよい。この場合も、印刷方法とファイル形式などによってファイル情報の表示態様を制御できる。
【０１９２】
また、図７などの構成例は、携帯端末１０、写真印刷装置５０、及び複合機３０の処理の理解を容易にするために、主な機能に応じて分割したものである。処理単位の分割の仕方や名称によって本願発明が制限されることはない。また、携帯端末１０、写真印刷装置５０、及び複合機３０の処理は、処理内容に応じて更に多くの処理単位に分割することもできる。また、１つの処理単位が更に多くの処理を含むように分割することもできる。
【０１９３】
なお、操作受付部１３は受付手段の一例であり、ファイル形式情報１９２は出力情報記憶手段の一例であり、ファイル表示部１５はファイル表示手段の一例である。端末通信部１４は通信手段の一例である。
【符号の説明】
【０１９４】
１０    携帯端末
１１    情報取得部
１２    ＵＩ表示部
１３    操作受付部
１４    端末通信部
１５    ファイル表示部
１６    ファイル処理部
１７    認証部
２１    スキャンフォルダ
２２    プリントフォルダ
３０    複合機
３１    普通紙印刷部
３２    全体制御部
３３    装置通信部
３４    原稿読取部
５０    写真印刷装置
５１    情報提供部
５２    操作受付部
５３    携帯通信部
５４    全体制御部
５５    写真印刷部
５６    画面表示部
５７    複合機通信部
６０    文書サーバ
１００  画像処理システム
【先行技術文献】
【特許文献】
【０１９５】
【特許文献１】特開2016-25490号公報
【図１】
2018026053.tif 000006
【図２】
2018026053.tif 000007
【図３】
2018026053.tif 000008
【図４】
2018026053.tif 000009
【図５】
2018026053.tif 000010
【図６】
2018026053.tif 000011
【図７】
2018026053.tif 000012
【図８】
2018026053.tif 000013
【図９】
2018026053.tif 000014
【図１０】
2018026053.tif 000015
【図１１】
2018026053.tif 000016
【図１２】
2018026053.tif 000017
【図１３】
2018026053.tif 000018
【図１４】
2018026053.tif 000019
【図１５】
2018026053.tif 000020
【図１６】
2018026053.tif 000021
【図１７】
2018026053.tif 000022
【図１８】
2018026053.tif 000023
【図１９】
2018026053.tif 000024
【図２０】
2018026053.tif 000025
【図２１】
2018026053.tif 000026
【図２２】
2018026053.tif 000027
【図２３】
2018026053.tif 000028
【図２４】
2018026053.tif 000029